(57)【要約】【課題】  リサイクル紙おむつを使用した場合のＣＯ２削減貢献度を集計等の人的手間を要することなく売り上げ処理をするだけで使用者別に容易に把握できるようにする。【解決手段】  使用済みの紙おむつをリサイクル処理して製品化したリサイクル紙おむつの製品情報と紙おむつを使用する使用者情報とリサイクル紙おむつの使用者別の使用量情報とをコンピュータに記憶し、使用済みの紙おむつを焼却処分した場合の二酸化炭素の排出量値に相当する値を前記製品情報に二酸化炭素の削減量情報として付加し、二酸化炭素の削減量情報を使用量情報に基づいて使用者別に集計して表示する集計表示手段をコンピュータに設ける。【選択図】図１
2009020771.tif 000002
【特許請求の範囲】
【請求項１】
医療施設において使用済みの紙おむつをリサイクル処理して製品化したリサイクル紙おむつを使用した際に伴う二酸化炭素の削減貢献度を使用者別に集計して表示するシステムであって、リサイクル紙おむつの製品情報とリサイクル紙おむつを使用する使用者情報とリサイクル紙おむつの使用者別の使用量情報とをコンピュータに記憶し、使用済みの紙おむつを焼却処分した場合の二酸化炭素の排出量値に相当する値を前記製品情報に二酸化炭素の削減量情報として付加し、二酸化炭素の削減量情報を使用量情報に基づいて使用者別に集計して表示する集計表示手段をコンピュータに設けたことを特徴とする、医療施設における二酸化炭素削減貢献度の表示システム。
【請求項２】
使用者毎に発行される請求書又は領収書に紙おむつの売上金額に応じた削減量情報を表記するようにした、請求項１記載の医療施設における二酸化炭素削減貢献度の表示システム。
【発明の詳細な説明】
【技術分野】
【０００１】
本発明は、医療施設において使用済みの紙おむつをリサイクル処理して製品化したリサイクル紙おむつを使用した際に伴う二酸化炭素の削減貢献度を使用者別に集計して表示するシステムに関する。
【背景技術】
【０００２】
現在、紙おむつは子供・患者・身障者・介護老人において多量に使用されている。紙おむつにはパルプ・高分子吸収剤・不織布・ビニール等の各種素材が使用されており、使用後は廃棄物として焼却処分されている。この紙おむつの素材中、約８０重量％をパルプが占めており、焼却処分した際に排出される二酸化炭素（以下ＣＯ２という）が地球環境の温暖化の一因ともなっている。
【０００３】
これに対し、使用済みの紙おむつをリサイクル処理したリサイクル紙おむつが製品化され、実用に供している。このリサイクル紙おむつを使用することで、使用済みの紙おむつを焼却処分した場合のＣＯ２の排出量に相当する量のＣＯ２を削減できるというものである。
【０００４】
ところで、リサイクル紙おむつを実際に使用したところで、どれほどのＣＯ２が削減できるのか使用者側としては分かり難いものであった。これは、使用済みの紙おむつを焼却処分した場合のＣＯ２の排出量情報やリサイクル紙おむつを使用した場合のＣＯ２の削減量情報が無いか又は公開されていないことや、それらの情報が有ったとしてもその都度集計するには膨大な人的手間を要してしまうことなどが原因と考えられる。
【特許文献１】特開２００６−２８９１５４号公報
【発明の開示】
【発明が解決しようとする課題】
【０００５】
本発明が解決しようとする課題は、従来のこれらの問題点を解消し、リサイクル紙おむつを使用した場合のＣＯ２削減貢献度を集計等の人的手間を要することなく売り上げ処理をするだけで使用者別に容易に把握できるようにすることにある。
【課題を解決するための手段】
【０００６】
かかる課題を解決した本発明の構成は、
１）  医療施設において使用済みの紙おむつをリサイクル処理して製品化したリサイクル紙おむつを使用した際に伴う二酸化炭素の削減貢献度を使用者別に集計して表示するシステムであって、リサイクル紙おむつの製品情報とリサイクル紙おむつを使用する使用者情報とリサイクル紙おむつの使用者別の使用量情報とをコンピュータに記憶し、使用済みの紙おむつを焼却処分した場合の二酸化炭素の排出量値に相当する値を前記製品情報に二酸化炭素の削減量情報として付加し、二酸化炭素の削減量情報を使用量情報に基づいて使用者別に集計して表示する集計表示手段をコンピュータに設けたことを特徴とする、医療施設における二酸化炭素削減貢献度の表示システム
２）  使用者毎に発行される請求書又は領収書に紙おむつの売上金額に応じた削減量情報を表記するようにした、前記１）記載の医療施設における二酸化炭素削減貢献度の表示システム
にある。
【発明の効果】
【０００７】
本発明によれば、リサイクル紙おむつの製品情報にＣＯ２の削減量情報を付加したから、リサイクル紙おむつの使用時にその製品情報に付加されている削減量情報をコンピュータの集計表示手段で使用者別に集計して表示することで、集計等の人的手間を要することなくＣＯ２の削減量を売り上げ時点で容易に把握できるようになる。
【発明を実施するための最良の形態】
【０００８】
本発明では、ＣＯ２の削減量情報の集計結果は、コンピュータのディスプレイ装置に直接表示するか、あるいは使用者毎に発行される請求書又は領収書にリサイクル紙おむつの売上金額に応じた削減量情報を表記することができ、集計は使用者別だけでなく病棟別や月別など任意に分析される。以下、本発明の実施例を図面に基づいて具体的に説明する。
【実施例１】
【０００９】
図１〜５に示す実施例は、本発明のＣＯ２削減貢献度の表示システムを備えた医療施設向けのリサイクル紙おむつの物流管理システムの例である。図１は実施例の物流管理システムの説明図、図２は実施例のデータベースの説明図、図３は実施例のフロー、図４は実施例の請求書及び領収書を示す説明図、図５は実施例のＣＯ２削減量の推移を示す説明図である。
【００１０】
図中、１０は医療施設、１１は情報端末、１１ａはクレイドル、１２は携帯情報端末、１３は管理サーバ、１４はデータベース、１４ａは製品マスタ、１４ｂは患者マスタ、１４ｃは使用量マスタ、１４ｄは在庫マスタ、１５は院内ネットワーク、１６はルーター、２０は販売業者、２１は製品情報サーバ、２２はデータベース、２２ａは製品マスタ、２２ｂは削減量情報、３０はインターネット、４０は請求書、５０は領収書、６０は削減量の推移である。
【００１１】
本実施例のＣＯ２削減量集計システムは、図１に示すように医療施設１０の病棟に配置される複数の情報端末１１と、事務室に配置される管理サーバ１３と、看護士が携帯して情報端末１１を通じて管理サーバ１３と情報の送受信を行う携帯情報端末１２と、リサイクル紙おむつの販売業者２０に配置される製品情報サーバ２１とで構成され、複数の情報端末１１と管理サーバ１３とは院内ネットワーク１５で接続され、管理サーバ１３と製品情報サーバ２１はルーター１６を介してインターネット３０に接続されている。
【００１２】
管理サーバ１３には、図２に示すようにリサイクル紙おむつの製品情報を示す製品マスタ１４ａと患者の個人情報を示す患者マスタ１４ｂとリサイクル紙おむつの患者別使用量を示す使用量マスタ１４ｃとリサイクル紙おむつの在庫量を示す在庫マスタ１４ｄとで構成されたデータベース１４と、リサイクル紙おむつを使用した際の請求書４０・領収書５０へのＣＯ２の削減量情報の表記及び発行と病棟別・月別・患者別の削減量情報の集計及び表示とを行うためのアプリケーション（図示せず）とが記憶されている。
【００１３】
携帯情報端末１２には、情報端末１１を通じて管理サーバ１３のデータベース１４からの製品マスタ１４ａ・患者マスタ１４ｂ・使用量マスタ１４ｃ・在庫マスタ１４ｄの取り込みと、患者別のリサイクル紙おむつの使用量の入力とを行うためのアプリケーション（図示せず）とが記憶されている。情報端末１１には、図１に示すように携帯情報端末１２と接続するためのクレイドル１１ａが取り付けられている。
【００１４】
製品情報サーバ２１には、図２に示すようにリサイクル紙おむつの製品情報を示す製品マスタ２２ａで構成されたデータベース２２が記憶され、製品マスタ２２ａにはそのリサイクル紙おむつを使用した場合のＣＯ２の削減量を示す削減量情報２２ｂが付加されている。
【００１５】
本実施例では、図３に示すように医療施設１０からの発注で販売業者２０がリサイクル紙おむつを医療施設１０に納入し、医療施設１０では、販売業者２０の製品情報サーバ２１から製品マスタ２２ａを管理サーバ１３へ自動的に取り込んでデータベース１４の製品マスタ１４ａを更新するとともに、納入されたリサイクル紙おむつを各病棟の棚に在庫し、入院した患者の個人情報をデータベース１４の患者マスタ１４ｂに登録する。
【００１６】
病棟では、看護士が携帯情報端末１２をクレイドル１１ａに装着して情報端末１１を通じて管理サーバ１３のデータベース１４から患者マスタ１４ｂと使用量マスタ１４ｃと在庫マスタ１４ｄを取り込み、看護士が棚に在庫されているリサイクル紙おむつを患者に使用し、その使用したリサイクル紙おむつの種類・数及び患者の情報を携帯情報端末１２に入力し、携帯情報端末１２をクレイドル１１ａに装着して情報端末１１を通じて管理サーバ１３のデータベース１４の使用量マスタ１４ｃと在庫マスタ１４ｄを更新する。
【００１７】
事務室では、図４に示すように管理サーバ１３でリサイクル紙おむつを使用した患者別の請求書４０及び領収書５０を発行する。その際、その請求書４０及び領収書５０にデータベース１４に取り込まれた削減量情報２２ｂに基づいてリサイクル紙おむつの使用量に応じたＣＯ２の削減量を集計して表記する（右下の部分）。この請求書４０及び領収書５０で患者はＣＯ２削減の貢献度を把握する。また、図５に示すようにＣＯ２の削減量を病棟別などに集計して削減量の推移６０を把握できるようにしてもよい。
【産業上の利用可能性】
【００１８】
本発明は、病院等の医療施設や老人センター等の福祉施設において、リサイクル紙おむつの使用に伴うＣＯ２の削減貢献度の把握に利用される。
【図面の簡単な説明】
【００１９】
【図１】実施例の物流管理システムの説明図である。
【図２】実施例のデータベースの説明図である。
【図３】実施例のフローである。
【図４】実施例の請求書及び領収書を示す説明図である。
【図５】実施例のＣＯ２削減量の推移を示す説明図である。
【符号の説明】
【００２０】
１０  医療施設
１１  情報端末
１１ａ  クレイドル
１２  携帯情報端末
１３  管理サーバ
１４  データベース
１４ａ  製品マスタ
１４ｂ  患者マスタ
１４ｃ  使用量マスタ
１４ｄ  在庫マスタ
１５  院内ネットワーク
１６  ルーター
２０  販売業者
２１  製品情報サーバ
２２  データベース
２２ａ  製品マスタ
２２ｂ  削減量情報
３０  インターネット
４０  請求書
５０  領収書
６０  削減量の推移
【図１】
2009020771.tif 000003
【図２】
2009020771.tif 000004
【図３】
2009020771.tif 000005
【図４】
2009020771.tif 000006
【図５】
2009020771.tif 000007